(57)【特許請求の範囲】
【請求項１】
キャプスタンの位相制御において用いられる傾斜区間とハイレベル区間とローレベル区間より成る台形波信号が第１のモードと第２のモードで前記傾斜区間が同一で他の区間が異なる方式の磁気再生装置であって、
クロックを出力する発振回路と；
前記クロックに比し充分長い周期の基準クロックを出力するタイミングデジタル回路と；
前記クロックをカウントするとともに、前記基準クロックの周期を１／Ｎ（Ｎは整数）に分割するような所定のカウント値においてリセットがかかるカウンタと；
前記カウンタのカウントが各リセット時点から第１のカウント値に達したところで第１のタイミングを発生するとともに第１のカウント値よりも大きい第２のカウント値に達したところで第２のタイミングを発生するタイミング発生回路と；
前記第１のモードと第２のモードを切り替えるためのモード入力信号が入力され、
前記モード入力信号が第１のモードのときには、前記基準クロックから次の基準クロックまでの区間において各リセット時点から第１のタイミングなどを第１のモードの傾斜区間とし、第１のタイミングから第２のタイミングまでを第１のモードのハイレベル区間とし、第２のタイミングから次のリセット時点までを第１のモードのローレベル区間とし、
前記モード入力信号が第２のモードのときには、前記基準クロックから次の基準クロックまでの区間において最初のリセット時点から第１のタイミングまでを第２のモードの傾斜区間とし、その第１のタイミングから後続する複数番目の第２のタイミングまでの期間を第２のモードのハイレベル区間とし、その複数番目の第２のタイミングから基準クロックまでを第２のモードのローレベル区間とする合成回路と；
を備えたことを特徴とする磁気再生装置。
【発明の詳細な説明】
【０００１】
【発明の属する技術分野】
本発明はＤＶＨＳやＶＨＳ等の複数の方式に対応可能なキャプスタンの位相コントロールサーボシステムを有する磁気再生装置に関する。
【０００２】
【従来の技術】
従来のＶＨＳモードとデータストリーマ装置等に用いられるＤＶＨＳ（Ｄａｔａ  ＶＨＳ）モードの２モードに対応可能な磁気再生装置について説明する。図６は従来の磁気再生装置に用いられているＩＣ（Integrated Circuit）２０のブロック図である。発振回路２１は一定周期のクロックを出力する。基準カウンタ２２は発振回路２１より出力されるクロックをカウントする。この基準カウンタ２２は例えば縦続接続された複数のフリップフロップで構成されている。尚、従来の説明図は１つのテレビジョン方式のみについて記載している。従って、ＮＴＳＣやＰＡＬ等の方式やテープスピードに応じた数だけ説明図の回路が必要になる。
【０００３】
デコーダ２４〜２８は基準カウンタ２２より出力されるカウント値が所定の値であることを検出し、検出結果を示す信号を出力する。これらのデコーダ２４〜２８はＡＮＤ回路等のゲートで構成されている。スイッチ３２はモード入力信号ＳＥＬによってデコーダ２５とデコーダ２７の一方を選択する。ＶＨＳモードのときにはデコーダ２５を選択し、ＤＶＨＳモードのときにはデコーダ２７を選択する。スイッチ３３はＶＨＳモードのときにはデコーダ２６を選択し、ＤＶＨＳモードのときにはデコーダ２８を選択する。スイッチ３３で選択されたデコーダの出力信号によって基準カウンタ２２がリセットされる。基準カウンタ２２から各デコーダ２４〜２８に送る線路は１本の線で示しているが、実際には基準カウンタ２２を構成する各フリップフロップの出力が与えられるため、複数の線路が設けられている。
【０００４】
台形波合成回路２９はデコーダ２４からの信号とスイッチ３２、３３からの信号とを入力することにより台形波信号を合成する。基準カウンタ２２は傾斜データを台形波合成回路２９に出力する。サンプリング回路３１は台形波信号と磁気テープから読み出したコントロール信号ＴＰＮを入力することにより、キャプスタンの位相ずれを検出し、その位相ずれを補正するためのコントロール信号ＣＴＬを出力する。磁気再生装置はコントロール信号ＣＴＬによってキャプスタンの走行をコントロールする。台形波合成回路２９では、基準カウンタ２２の一部データを流用して傾斜を作成する。
【０００５】
ＶＨＳモードとＤＶＨＳモードでの動作の違いを明確にするために図５に示す波形図を用いて説明する。図５（ａ）はＶＨＳモードのときに基準カウンタ２２より出力されるカウント値の変化を等価的な波形で示したものである。ＶＨＳモードのときにはデコーダ２６によって基準カウンタ２２はＴ3の時点でリセットがかかる。基準カウンタ２２は周期Ｌ１で繰り返し動作する。
【０００６】
タイミングＴ0で傾斜区間ｔｐｃを開始する。台形波合成回路２９はデコーダ２４からの信号により傾斜区間ｔｐｃの終了する時点Ｔ1とする。デコーダ２４は時点Ｔ1に対応するカウント値において出力を発生するように設定されている。台形波合成回路２９は傾斜区間ｔｐｃでは傾斜区間作成用のカウンタ３０から出力されるカウント値を用いて傾斜信号を生成している。
【０００７】
時点Ｔ1を経過すると台形波信号は一定のハイレベル区間ＫＨとなる。そして、台形波合成回路２９はデコーダ２５からの信号が与えられるＴ2の時点でローレベル区間ＫＬに入る。そして、基準カウンタ２２がデコーダ２６からの信号によってリセットされた時点Ｔ3でローレベル区間ＫＬが終了する。これにより、ＶＨＳモードでの台形波信号は周期Ｌ１の信号となる。以上の動作を繰り返すことによって図５（ｂ）に示す台形波信号が次々と形成される。
【０００８】
サンプリング回路３１はこの台形波信号の傾斜区間ｔｐｃの間にコントロール信号ＴＰＮの立ち上がりの入力があった時点ｔ０で、この台形波信号の信号値と基準となる値とのずれを検出することによりキャプスタンの位相ずれを検出している。したがって、サンプリング回路３１はこの位相ずれが生じないようにキャプスタンの走行をコントロールする信号ＣＴＬを出力する。
【０００９】
次に、ＤＶＨＳモードのときの台形波信号を図５（ｃ）に示す。ＤＶＨＳモードのときには台形波信号の周期は図５（ｄ）に示すようにＬ２である。周期Ｌ２はＬ１の３倍である。ＤＶＨＳモードでの台形波信号の傾斜区間ｔｐｃはＶＨＳモードでの傾斜区間ｔｐｃと等しく、ハイレベル区間ＫＨとローレベル区間ＫＬについてはＫＨ＝ＫＬの関係にある。ＤＶＨＳモードではハイレベル区間とローレベル区間の比は１対１にみえる。
【００１０】
モード入力信号ＳＥＬによって選択されたデコーダ２８からの信号によって基準カウンタ２２がリセットされることにより、カウンタ２２は図５（ｄ）に示すように周期Ｌ２で繰り返し動作する。台形波合成回路２９はスイッチ３３からの信号により傾斜区間ｔｐｃの開始時点を時点Ｔ0とする。台形波合成回路２９はデコーダ２４からの信号により傾斜区間ｔｐｃの終了を時点Ｔ1とする。
【００１１】
台形波合成回路２９はデコーダ２４からの信号により時点Ｔ1で傾斜区間ｔｐｃを終了してハイレベル区間ＫＨを開始させる。台形波合成回路２９はデコーダ２７からの信号により時点Ｔ4でハイレベル区間ＫＨを終了するとともにローレベル区間ＫＬを開始させる。基準カウンタ２２はデコーダ２８からの信号により時点Ｔ5でリセットされるので台形波信号は周期Ｌ２となる。
【００１２】
また、他の従来例では基準カウンタ２２に入力するクロック周波数をＶＨＳモードとＤＶＨＳモードで切り換えることにより基準タウンタ２２のビット数の増大を抑えた磁気再生装置がある。しかし、この従来の磁気再生装置はクロック周波数を切り換えるために図７に示すように２個の発振回路３５、３６を備えている。
【００１３】
発振回路３５、３６は出力するクロック周波数が異なる。そして、モード入力信号ＳＥＬによってスイッチ３７は発振回路３５、３６からのクロックを選択して基準カウンタ２２に送る。この従来の磁気再生装置はＶＨＳモードではクロック周波数を高くし、ＤＶＨＳモードではクロック周波数を低くする。ＤＶＨＳモードでは基準カウンタ２２はゆっくりとカウント値が変化するので、周期Ｌ２が周期Ｌ１の３倍になっていてもビット数の増大を抑制することができる。なお、図７において図６と同一部分には同一符号を付して説明を省略する。
【００１４】
【発明が解決しようとする課題】
上記図６に示す従来の磁気再生装置ではＶＨＳモードとＤＶＨＳモードに対応するために基準カウンタ２２からカウント値を検出するためのデコーダ２４〜２８の個数が増大し、回路規模が大きくなるという問題があった。また、上記従来の磁気再生装置ではＶＨＳモードとＤＶＨＳモードでも基準カウンタ２２に入力されるクロックが同一である。そのため、基準カウンタ２２が周期Ｌ２までカウント値を出力できるように最大カウント数を増大させるべく、基準カウンタのビット数（具体的にはカウンタを構成するフリップフロップ数）を増設させていた。したがって、基準カウンタ２２でも複数モードに対応した磁気再生装置は回路規模が大きくなっていた。
【００１５】
一方、上記図７に示す従来の磁気再生装置では、ＶＨＳモードとＤＶＨＳモードでは基準カウンタ２２より出力されるカウント値が変化するスピードが異なるので、ＶＨＳモードとＤＶＨＳモードで図５に示すＴ1のタイミングを与えるために２個のデコーダ２４ａ、２４ｂが必要であった。そして、信号ＳＥＬによってスイッチ３４でデコーダ２４ａ、２４ｂの選択をしてから台形波合成回路２９に送る必要があった。このため、デコーダ２４ａ〜２８の個数が増大するという問題点は解消されず、２種のクロック周波数を作成するための発振回路３５、３６及びスイッチ３７が追加されるため、回路規模が大きいという問題があった。
【００１６】
本発明は上記課題を解決するもので、ＶＨＳモードとＤＶＨＳモードのように複数モードでキャプスタンの位相制御ができる磁気再生装置の回路規模を縮小することを目的とする。
【００１７】
【課題を解決するための手段】
本発明は上記目的を達成するために、本発明では、キャプスタンの位相制御において用いられる傾斜区間とハイレベル区間とローレベル区間より成る台形波信号が第１のモードと第２のモードで前記傾斜区間が同一で他の区間が異なる方式の磁気再生装置であって、発振回路からのクロックをカウントするとともに前記クロックに比し充分長い周期の基準クロックでリセットされ且つ前記基準クロックから次の基準クロックまでの区間を１／Ｎ（Ｎは整数）に分割するような所定のカウント値においてリセットがかかるカウンタと、前記カウンタのカウントが各リセット時点から第１のカウント値に達したところで第１のタイミングを発生するとともに第１のカウント値よりも大きい第２のカウント値に達したところで第２のタイミングを発生するタイミング発生回路と、前記基準クロックから次の基準クロックまでの区間において各リセット時点から第１のタイミングなどを第１モードの傾斜区間とし、第１のタイミングから第２のタイミングまでを第１モードのハイレベル区間とし、第２のタイミングから次のリセット時点までを第１モードのローレベル期間とする手段と、基準クロックから次の基準クロックまでの区間において最初のリセット時点から第１のタイミングまでを第２モードの傾斜区間とし、その第１のタイミングから後続する複数番目の第２のタイミングまでの期間を第２モードのハイレベル区間とし、その複数番目の第２のタイミングから基準クロックまでを第２モードのローレベル期間とする手段とを備えるようにしている。
【００１８】
【発明の実施の形態】
以下、本発明の一実施形態について説明する。図１は本実施形態の磁気再生装置に用いられるＩＣ１のブロック図である。ＩＣ１には磁気テープより得られるコントロール信号ＴＰＮと、ＶＨＳモード（第１モード）かＤＶＨＳモード（第２モード）のいずれか一方を指示するためのモード入力信号ＳＥＬと、ＤＶＨＳを再生する為の基準信号であり、マイコン等で別途形成されている。５ＨｚのクロックＲＥＦが入力される（図４（ａ）参照）。そして、ＩＣ１は以下説明するようにモード入力信号ＳＥＬで指示されたモードで台形波信号Ｐを合成し、この台形波信号Ｐとコントロール信号ＴＰＮとからキャプスタンの位相ずれを検出してキャプスタンの走行を制御するためのコントロール信号ＣＴＬを出力する。
【００１９】
ＩＣ１の内部において、タイミングデジタル回路３はクロックＲＥＦ（図４（ａ）参照）の入力により基準クロックＦ（図４（ｂ）参照）を出力する。基準クロックＦはクロックＲＥＦのレベルがハイレベルからローレベルに変化する時とローレベルからハイレベルに変化する時に立ち上がり、立ち上がりから一定の時間経過した後に立ち下がるようになっている。
【００２０】
基準クロックＦはＯＲ回路１０を通して基準カウンタ２に入力される。基準カウンタ２は基準クロックＦの立ち下がりによってリセットされる。基準カウンタ２は発振回路８より出力される一定周期のクロック（図示せず）をカウントし、カウント値Ｇを出力する（図４（ｃ）参照）。基準カウンタ２は例えば縦続接続された複数のフリップフロップで構成されている。基準カウンタ２から出力されるカウント値Ｇを伝送する線路は１本の線路で示しているが、実際には基準カウンタ２を構成する各フリップフロップの出力が与えられるため複数の線路が存在する。デコーダ９はカウント値Ｇが所定の値であることを検出して、カウント値が所定の値となるとインバータ１１とＯＲ回路１０を通して基準カウンタ２をリセットする信号を出力する。デコーダ９が検出する値は基準カウンタ２が基準クロックＦ間に２回リセットがかかるような値に設定されている。
【００２１】
タイミング発生回路４はカウント値Ｇを取り込み、その値からＶＨＳモードでの台形波信号Ｐの傾斜区間を与えるための第１タイミング信号Ａ（図４（ｄ）参照）と、ＶＨＳモードでの台形波信号の傾斜区間及びハイレベル区間を与えるための第２タイミング信号Ｂ（図４（ｅ）参照）を出力する。
【００２２】
合成回路５は第１タイミング信号Ａと第２タイミング信号Ｂと基準クロックＦとモード入力信号ＳＥＬを入力し、モード入力信号ＳＥＬによって指定されたモードの台形波信号Ｐ（図４（ｉ）または図４（ｋ）参照）を出力する。サンプリング回路７は台形波信号Ｐとコントロール信号ＴＰＮを入力することにより、キャプスタンの位相ずれを検出し、その位相ずれを補正するためのコントロール信号ＣＴＬを出力する。
【００２３】
次に、タイミング発生回路４の内部構成について説明する。図２はタイミング発生回路４の内部構成を示す回路図である。タイミング発生回路４は２つのデコーダ１０、１１と２つのフリップフロップ１２、１３とから構成されている。ＯＲ回路１０より出力される信号Ｊがフリップフロップ１２、１３のセット入力端子（Ｓ）に入力される。デコーダ１１はカウント値Ｇが所定の値であることを検出するもので、その検出結果を示す信号がフリップフロップ１２のリセット入力端子（Ｒ）に入力される。フリップフロップ１２の出力端子（Ｑ）より第１タイミング信号Ａが出力される。信号Ａは基準カウンタ２のリセット時に立ち上がり、デコーダ１１が値を検出したところで立ち下がる信号となる。デコーダ１１が検出する値はＶＨＳモードでの台形波信号Ｐの傾斜区間ｔｐｃが与えられるように設定されている。
【００２４】
信号ＪはＤフリップフロップ１３のセット入力端子（Ｓ）にも入力される。デコーダ１０はカウント値Ｇが所定の値であるか否かを検出するもので、検出結果を示す信号がフリップフロップ１２のリセット入力端子（Ｒ）に入力される。デコーダ１０が検出する値はＶＨＳモードでの台形波信号Ｐの傾斜区間ｔｐｃとハイレベル区間ＫＨの合計した期間となるように設定されている。これにより、フリップフロップ１３の出力端子（Ｑ）よりタイミング信号Ｂが出力される。
【００２５】
次に、合成回路５の内部構成について説明する。図３は合成回路５の内部構成を示す回路図である。合成回路５は間引き回路１６と信号生成回路１７とＡＮＤ回路（論理積回路）１８と台形波合成回路１９とから構成されている。間引き回路１６は第２タイミング信号Ｂと基準クロックＦの入力により第２タイミング信号Ｂを基準クロックＦで間引いた第３タイミング信号Ｃを出力する（図４（ｆ）参照）。第３タイミング信号Ｃは基準クロックＦの立ち下がりでセットされ、第２タイミング信号Ｂの立ち下がりでリセットされることにより与えられる。なお、間引き回路１６はフリップフロップ等で構成されている。
【００２６】
信号生成回路１７は第２タイミング信号Ｂと基準クロックＦの入力により第４タイミング信号Ｄを出力する（図４（ｈ）参照）。第４タイミング信号Ｄは基準クロックＦの立ち下がりでセットされ、その後の第２タイミング信号Ｂの２回目の立ち下がり時にリセットされることにより与えられる。
【００２７】
ＡＮＤ回路１８は第１タイミング信号Ａと第３タイミング信号Ｃの論理積をとった第５タイミング信号Ｈ（図４（ｇ）参照）を出力する。第５タイミング信号ＨはＤＶＨＳモードでの台形波信号の傾斜区間を与えるための信号である。なお、信号生成回路１７はフリップフロップ等で構成されている。
【００２８】
台形波合成回路１９は第１タイミング信号Ａと第２タイミング信号Ｂと第４タイミング信号Ｄと第５タイミング信号Ｈとモード入力信号ＳＥＬとを入力して、モード入力信号ＳＥＬによって指定されたモードの台形波信号Ｐを出力する。ＶＨＳモード（図４（ｋ）参照）のとき、台形波合成回路１９は第１タイミング信号Ａがハイレベルとなっている期間を台形波信号の傾斜区間ｔｐｃとし、その後、第２タイミング信号Ｂがハイレベルとなっている期間を台形波信号Ｐのハイレベル区間ＫＨとする。そして、第２タイミング信号Ｂがローレベルとなると台形波合成回路１９は台形波信号Ｐのローレベル区間ＫＬとする。
【００２９】
一方、ＤＶＨＳモード（図４（ｉ）参照）のとき、台形波合成回路１９は第５タイミング信号Ｈがハイレベルとなっている期間を台形波信号Ｐの傾斜区間ｔｐｃとし、その後、第４タイミング信号Ｄがハイレベルとなっている期間に台形波信号Ｐのハイレベル区間ＫＨとする。そして、第４タイミング信号Ｄがローレベルとなると台形波合成回路１９は台形波信号Ｐのローレベル区間ＫＬとする。
【００３０】
次に、ＩＣ１の動作について説明する。図４はＩＣ１の動作を示す波形図である。（ａ）は５ＨｚのクロックＲＥＦである。（ｂ）はタイミングデジタル回路３より出力される基準クロックＦである。（ｃ）は基準カウンタ２より出力されるカウント値Ｇの変化を等価的な波形で示したものである。（ｄ）は第１タイミング信号Ａである。（ｅ）は第２タイミング信号Ｂである。（ｆ）は第３タイミング信号Ｃである。（ｇ）は第５タイミング信号Ｈである。（ｈ）は第４タイミング信号Ｄである。（ｉ）は信号ＳＥＬによりＤＶＨＳモードが指定されているときに合成回路５より出力される台形波信号Ｐである。（ｊ）はＤＶＨＳモードときにＩＣ１に入力されるコントロール信号ＴＰＮである。（ｋ）はＶＨＳモードが指定されているときに合成回路５より出力される台形波信号Ｐである。（ｌ）はＶＨＳモードのときにＩＣ１に入力されるコントロール信号ＴＰＮである。
【００３１】
タイミングデジタル回路３はＩＣ１に入力される５ＨｚのクロックＲＥＦがタイミングｔR1でハイレベルからローレベルに変化するのをトリガにして基準クロックＦを発生させる。上述したように基準クロックＦはタイミングｔR1でローレベルからハイレベルに立ち上がり、一定の時間経過した時間ｔF1で再びローレベルになる。
【００３２】
時間ｔF1で基準カウンタ２はリセットされ、次の基準クロックＦの立ち下がり時間ｔF2までの間にデコーダ９によって２回自己リセットがかかるように動作する。（ｄ）に示すように、タイミング信号ＡはＶＨＳモードでの傾斜区間ｔｐｃを与える期間Ｋ１にハイレベルとなる。図示するように、タイミング信号Ａの周波数は基準クロックＦの周波数の３倍となる。
【００３３】
（ｅ）に示すようにタイミング信号Ｂは期間Ｋ２をハイレベルとするように設定されている。期間Ｋ２は期間Ｋ１よりも大きくなっている。タイミング信号Ｂの周波数も基準クロックＦの周波数の３倍となる。（ｆ）に示すようにタイミング信号Ｃは間引き回路１６で基準クロックＦの立ち下がりのタイミングｔF1でセットされ、タイミング信号Ｂの立ち下がりでリセットすることにより得られる。タイミング信号Ｃの周波数はタイミング信号Ｂの周波数の１／３となり、ハイレベルとなっている期間はＫ２である。
【００３４】
（ｇ）に示すようにタイミング信号ＨはＡＮＤ回路１８でタイミング信号Ａとタイミング信号Ｃの論理積をとることにより得られる。（ｈ）に示すようにタイミング信号Ｄは時間ｔF1でセットされ、その後、タイミング信号Ｂの２回目の立ち下がりを検出してそのタイミングｔB2でリセットされる。
【００３５】
モード入力信号ＳＥＬによってＤＶＨＳモードが選択されているときには、台形波合成回路１９は（ｇ）に示すタイミング信号Ｈより台形波信号Ｐの傾斜区間ｔｐｃとして、その後（ｈ）に示すタイミング信号Ｄがハイレベルとなっている期間をハイレベル区間ＫＨとする。そして、タイミングｔB2で台形波信号Ｂはローレベル期間ＫＬとなる。次の傾斜区間ｔｐｃの開始のタイミングｔF2までをローレベル区間とする。
【００３６】
サンプリング回路７は台形波信号Ｐとコントロール信号ＴＰＮを入力して傾斜区間ｔｐｃにコントロール信号ＴＰＮの立ち上がりを検出してその台形波信号Ｐのサンプリング値を取り込むことによってキャプスタンの位相ずれを検出し、位相ずれを補正するためのコントロール信号ＣＴＬを出力する。
【００３７】
また、モード入力信号ＳＥＬによってＶＨＳモードが選択されているときには、（ｄ）に示すタイミング信号Ａを傾斜区間ｔｐｃとして、その後、（ｅ）に示すタイミング信号Ｂがハイレベルとなっている期間をハイレベル区間ＫＨとする。その後、次のタイミング信号Ａの立ち上がりの時間ｔAまでの期間をローレベル区間とする。これにより、ＶＨＳモードでの台形波信号ＰはＤＶＨＳモードでの台形波信号Ｐの３倍の周波数となる。
【００３８】
また、実際のＶＨＳモードとＤＶＨＳモードの台形波信号の各区間の設定値を表１に示す。テレビジョン方式にはＮＴＳＣ方式ではテープスピードＳＰ、ＬＰ、ＥＰの３モードあり、ＰＡＬ方式ではＳＰ、ＬＰの２モードある。上記従来の磁気再生装置はＤＶＨＳ／ＶＨＳの両モードに対応するためにもＮＴＳＣ方式では合計６モード、ＰＡＬ方式では合計４モード必要であったが、本実施形態の磁気再生装置は、ＤＶＨＳ／ＶＨＳモードに対応できるので、ＮＴＳＣ方式では３モード、ＰＡＬ方式では２モードでよい。このように、テープスピードの異なるモードに対応した磁気再生装置においても回路規模の拡大によるコスト高を抑えることができる。
【００３９】
以上説明したように、本実施形態の磁気再生装置はＶＨＳモードとＤＶＨＳモードで傾斜区間が同一で他のハイレベル区間ＫＨとローレベル区間ＫＬが異なる台形波信号Ｐを生成することにより、キャプスタンの位相コントロールを行うことができる。タイミング発生回路４は基準カウンタ２より２種のタイミング信号Ａ、Ｂを出力するだけであるので、基準カウンタ２からカウント値を取り込むためのデコーダ数が上記従来の磁気再生装置（図６、図７）に比べて大幅に減少している。また、基準カウンタ２では上記従来の磁気再生装置に比べてビット数の増設やクロックの切り換えが必要でない。したがって、その部分で回路の追加がなされない。
【００４０】
【表１】
0004004149.tif 000002
【００４１】
【発明の効果】
以上説明したように、本発明では、基準クロックによって特定される区間（基準クロックから次の基準クロックまでの区間）がＮ等分されたようにカウンタのリセットが行われ、その分割された小区間に関して第１、第２タイミング信号を生成し、それらのタイミング信号を例えばロジック的に合成してＤＶＨＳとＶＨＳ等の複数の方式で、傾斜区間が共通で他の区間が異なる台形波信号を生成しているので、カウンタからカウント値を取り出すためのデコーダ数が少なくなっている。また、カウンタのビット数の増設も不要である。さらに、両モードで必要な回路を共通化しているので回路を構成するゲート数を減少させることができる。これにより、ＩＣチップの面積を縮小することができ、コストダウンを図ることができる。
【図面の簡単な説明】
【図１】  本発明の一実施形態の磁気再生装置のブロック図。
【図２】  その磁気再生装置のタイミング発生回路の回路図。
【図３】  その磁気再生装置の合成回路の回路図。
【図４】  その磁気再生装置の動作を示す波形図。
【図５】  従来の磁気再生装置の動作を示す波形図。
【図６】  従来の磁気再生装置の一例のブロック図。
【図７】  他の従来例の磁気再生装置のブロック図。
【符号の説明】
１    ＩＣ
２    基準カウンタ
３    タイミングデジタル回路
４    タイミング発生回路
５    合成回路
７    サンプリング回路
８    発振回路
９〜１１    デコーダ
１２、１３    フリップフロップ
１５    傾斜区間作成用カウンタ
１６    間引き回路
１７    信号生成回路
１８    ＡＮＤ回路（論理回路）
１９    台形波合成回路
Ａ    第１タイミング信号
Ｂ    第２タイミング信号
Ｃ    第３タイミング信号
Ｄ    第４タイミング信号
Ｆ    基準クロック
Ｇ    カウント値
Ｈ    第５タイミング信号
ＳＥＬ    モード入力信号
ＴＰＮ    コントロール信号
Ｐ    台形波信号
ｔｐｃ    傾斜区間
ＫＨ    ハイレベル区間
ＫＬ    ローレベル区間
【図１】
0004004149.tif 000003
【図２】
0004004149.tif 000004
【図３】
0004004149.tif 000005
【図４】
0004004149.tif 000006
【図５】
0004004149.tif 000007
【図６】
0004004149.tif 000008
【図７】
0004004149.tif 000009